(57)【要約】【課題】  障害の発生箇所を特定することができる伝送装置及び障害検出方法を提供する。【解決手段】  伝送装置は、第１伝送路から分岐した第２伝送路及び第３伝送路と、第４伝送路から分岐した第５伝送路及び第６伝送路とに接続されており、第１信号光を前記第２伝送路に出力する第１出力部と、第２信号光を前記第６伝送路に出力する第２出力部と、前記第１信号光及び前記第２信号光と波長が相違する検査光を前記第３伝送路及び第５伝送路に異なるパワーで分岐して出力する第３出力部と、前記第２伝送路、前記第３伝送路、前記第５伝送路、及び前記第６伝送路からそれぞれ入力される前記検査光の反射光のパワーに基づき障害の発生箇所を特定する特定部とを有する。【選択図】図８
2018074300.tif 000002
【特許請求の範囲】
【請求項１】
第１伝送路から分岐した第２伝送路及び第３伝送路と、第４伝送路から分岐した第５伝送路及び第６伝送路とに接続される伝送装置において、
第１信号光を前記第２伝送路に出力する第１出力部と、
第２信号光を前記第６伝送路に出力する第２出力部と、
前記第１信号光及び前記第２信号光と波長が相違する検査光を前記第３伝送路及び第５伝送路に異なるパワーで分岐して出力する第３出力部と、
前記第２伝送路、前記第３伝送路、前記第５伝送路、及び前記第６伝送路からそれぞれ入力される前記検査光の反射光のパワーに基づき障害の発生箇所を特定する特定部とを有することを特徴とする伝送装置。
【請求項２】
前記特定部は、
前記第２伝送路から入力される前記反射光のパワー、前記第３伝送路及び前記第５伝送路から入力される前記反射光のパワー、及び前記第６伝送路から入力される前記反射光のパワーの組み合わせに対応する前記障害の発生箇所が登録されたテーブルを保持し、
前記テーブルを参照することにより前記障害の発生箇所を特定することを特徴とする請求項１に記載の伝送装置。
【請求項３】
前記第３出力部は、前記障害の発生箇所に応じて、前記第１信号光を前記第３伝送路に出力し、または前記第２信号光を前記第５伝送路に出力することを特徴とする請求項１または２に記載の伝送装置。
【請求項４】
第１伝送路から分岐した第２伝送路及び第３伝送路と、第４伝送路から分岐した第５伝送路及び第６伝送路との障害を検出する障害検出方法において、
第１信号光を前記第２伝送路に出力し、
第２信号光を前記第６伝送路に出力し、
前記第１信号光及び前記第２信号光と波長が相違する検査光を前記第３伝送路及び第５伝送路に異なるパワーで分岐して出力し、
前記第２伝送路、前記第３伝送路、前記第５伝送路、及び前記第６伝送路からそれぞれ入力される前記検査光の反射光のパワーに基づき障害の発生箇所を特定することを特徴とする障害検出方法。
【請求項５】
第１伝送路から分岐した第２伝送路及び第３伝送路と、第４伝送路から分岐した第５伝送路及び第６伝送路との障害を検出する障害検出方法において、
第１信号光を前記第２伝送路に出力し、
第２信号光を前記第６伝送路に出力し、
前記第１信号光及び前記第２信号光と波長が相違する検査光を前記第３伝送路及び第５伝送路に分岐して出力し、
前記第１伝送路に入力された前記第１信号光を透過し、
前記第１伝送路に入力された前記検査光を前記第２伝送路及び前記第３伝送路に異なるパワーでそれぞれ反射し、
前記第４伝送路に入力された前記第２信号光を透過し、
前記第４伝送路に入力された前記検査光を前記第５伝送路及び前記第６伝送路に異なるパワーでそれぞれ反射し、
前記第２伝送路、前記第３伝送路、前記第５伝送路、及び前記第６伝送路からそれぞれ入力される前記検査光の反射光のパワーに基づき障害の発生箇所を特定し、
前記第２伝送路に対する前記第３伝送路の前記反射光のパワーの比を、前記第６伝送路に対する前記第５伝送路の前記反射光のパワーの比と異ならせることを特徴とする障害検出方法。  
【発明の詳細な説明】
【技術分野】
【０００１】
本件は、伝送装置及び障害検出方法に関する。
【背景技術】
【０００２】
検査光を伝送路に出力することにより伝送路（光ファイバ）の障害を検出する方法が知られている（例えば特許文献１〜３）。特許文献３には、Ｙケーブルにより分岐された伝送路の各々に現用系及び予備系の送信器が接続された構成において、予備系の送信器から検査光を送信し、Ｙケーブルの分岐元の伝送路上の光学フィルタにより反射された検査光（つまり反射光）のパワーに基づき障害の発生箇所を特定する点が記載されている。
【先行技術文献】
【特許文献】
【０００３】
【特許文献１】特開２００７−１７３９４３号公報
【特許文献２】特開２００６−３１９８９４号公報
【特許文献３】特開２０１４−９３５５８号公報
【発明の概要】
【発明が解決しようとする課題】
【０００４】
コストを低減するため、特許文献３のような１：１の冗長構成に代えて、１：２の冗長構成の採用が検討されている。１：２の冗長構成では、２つの現用系の送信器に対して共通の予備系の送信器が用いられ、各送信器は２つのＹケーブルにより分岐された伝送路にそれぞれ接続される。
【０００５】
したがって、１：２の冗長構成は１：１の冗長構成より複雑化するため、障害の発生箇所の特定が困難となる。
【０００６】
本発明は、障害の発生箇所を特定することができる伝送装置及び障害検出方法を提供することを目的とする。
【課題を解決するための手段】
【０００７】
１つの態様では、伝送装置は、第１伝送路から分岐した第２伝送路及び第３伝送路と、第４伝送路から分岐した第５伝送路及び第６伝送路とに接続された伝送装置において、第１信号光を前記第２伝送路に出力する第１出力部と、第２信号光を前記第６伝送路に出力する第２出力部と、前記第１信号光及び前記第２信号光と波長が相違する検査光を前記第３伝送路及び第５伝送路に異なるパワーで分岐して出力する第３出力部と、前記第２伝送路、前記第３伝送路、前記第５伝送路、及び前記第６伝送路からそれぞれ入力される前記検査光の反射光のパワーに基づき障害の発生箇所を特定する特定部とを有する。
【０００８】
１つの態様では、障害検出方法は、第１伝送路から分岐した第２伝送路及び第３伝送路と、第４伝送路から分岐した第５伝送路及び第６伝送路との障害を検出する障害検出方法において、第１信号光を前記第２伝送路に出力し、第２信号光を前記第６伝送路に出力し、前記第１信号光及び前記第２信号光と波長が相違する検査光を前記第３伝送路及び第５伝送路に異なるパワーで分岐して出力し、前記第２伝送路、前記第３伝送路、前記第５伝送路、及び前記第６伝送路からそれぞれ入力される前記検査光の反射光のパワーに基づき障害の発生箇所を特定する方法である。
【０００９】
１つの態様では、第１伝送路から分岐した第２伝送路及び第３伝送路と、第４伝送路から分岐した第５伝送路及び第６伝送路との障害を検出する障害検出方法において、第１信号光を前記第２伝送路に出力し、第２信号光を前記第６伝送路に出力し、前記第１信号光及び前記第２信号光と波長が相違する検査光を前記第３伝送路及び第５伝送路に分岐して出力し、前記第１伝送路に入力された前記第１信号光を透過し、前記第１伝送路に入力された前記検査光を前記第２伝送路及び前記第３伝送路に異なるパワーでそれぞれ反射し、前記第４伝送路に入力された前記第２信号光を透過し、前記第４伝送路に入力された前記検査光を前記第５伝送路及び前記第６伝送路に異なるパワーでそれぞれ反射し、前記第２伝送路、前記第３伝送路、前記第５伝送路、及び前記第６伝送路からそれぞれ入力される前記検査光の反射光のパワーに基づき障害の発生箇所を特定し、前記第２伝送路に対する前記第３伝送路の前記反射光のパワーの比を、前記第６伝送路に対する前記第５伝送路の前記反射光のパワーの比と異ならせる障害検出方法である。
【発明の効果】
【００１０】
１つの側面として、障害の発生箇所を特定することができる。
【図面の簡単な説明】
【００１１】
【図１】伝送システムの一例を示す構成図である。
【図２】比較例の伝送システムにおいて障害が発生していない場合の信号光及び検査光の経路を示す図である。
【図３】比較例の伝送システムにおいて障害が発生していない場合の検査光のパワーを示す図である。
【図４】比較例の伝送システムにおいて障害が発生した場合の信号光及び検査光の経路を示す図である。
【図５】比較例の伝送システムにおいて障害が発生した場合の検査光のパワーを示す図である。
【図６】比較例の伝送システムにおいて他の障害が発生した場合の信号光及び検査光の経路を示す図である。
【図７】比較例の伝送システムにおいて他の障害が発生した場合の検査光のパワーの比較例を示す図である。
【図８】実施例の伝送システムにおいて障害が発生した場合の信号光及び検査光の経路を示す図である。
【図９】実施例の伝送システムにおいて障害が発生した場合の検査光のパワーを示す図である。
【図１０】実施例の伝送システムにおいて他の障害が発生した場合の信号光及び検査光の経路を示す図である。
【図１１】実施例の伝送システムにおいて他の障害が発生した場合の検査光のパワーの比較例を示す図である。
【図１２】実施例の伝送システムにおいて障害が発生していない場合の信号光及び検査光の経路を示す図である。
【図１３】障害パタンごとの反射光のパワーを示す図である。
【図１４】障害特定テーブル及び切り替え動作テーブルの一例を示す図である。
【図１５】制御部及び予備送信部の一例を示す構成図である。
【図１６】現用送信部の一例を示す構成図である。
【図１７】切り替え動作後の予備送信部の動作の一例を示す図である。
【図１８】切り替え動作後の信号光の一例を示す図である。
【図１９】切り替え動作後の予備送信部の動作の他例を示す図である。
【図２０】切り替え動作後の信号光の他例を示す図である。
【図２１】予備送信部の監視制御部の動作の一例を示すフローチャートである。
【図２２】現用送信部の監視制御部の動作の一例を示すフローチャートである。
【図２３】制御部の動作の一例を示すフローチャートである。
【図２４】他の実施例の伝送システムを示す図である。
【図２５】障害パタンごとの反射光のパワーを示す図である。
【発明を実施するための形態】
【００１２】
図１は、伝送システムの一例を示す構成図である。伝送システムは、伝送装置の一例であるＲＯＡＤＭ（Reconfigurable Optical Add and Drop Multiplexer）１と、０系の送信装置２０及び受信装置３０と、１系の送信装置２１及び受信装置３１とを有する。
【００１３】
０系の送信装置２０は、ネットワークＮＷ及びＲＯＡＤＭ１を介して０系の受信装置３０に波長λａの信号光Ｌ０を送信し、１系の送信装置２１は、ネットワークＮＷ及びＲＯＡＤＭ１を介して１系の受信装置３１に波長λｂ（≠λａ）の信号光Ｌ１を送信する。信号光Ｌ０，Ｌ１は、例えばイーサネット（登録商標。以下同様。）フレーム信号を光信号に変換したものである。
【００１４】
送信装置２０，２１は、Ｙ分岐ケーブル８４，８５を介してネットワークＮＷに接続されている。Ｙ分岐ケーブル８４，８５は、１本の光ファイバが光スプリッタなどを介して２本の光ファイバに分岐するように構成された光ケーブルである。信号光Ｌ０，Ｌ１は、Ｙ分岐ケーブル８４，８５を介して２つの信号光Ｌ０，Ｌ１に分岐してネットワークＮＷに送信される。これにより、信号光Ｌ０，Ｌ１は冗長化される。なお、信号光Ｌ０は第１信号光の一例であり、信号光Ｌ１は第２信号光の一例である。ネットワークＮＷは、例えば複数のＲＯＡＤＭ１がリング状に接続されて構成されているが、これに限定されず、メッシュ状のものであってもよい。
【００１５】
信号光Ｌ０，Ｌ１は、複数の波長の光信号が波長多重された波長多重光信号としてＲＯＡＤＭ１に入力される。なお、２つの信号光Ｌ０は、波長λａが同一であるため、別々の波長多重光信号に波長多重され、２つの信号光Ｌ１は、波長λｂが同一であるため、別々の波長多重光信号に波長多重される。
【００１６】
ＲＯＡＤＭ１は信号光Ｌ０，Ｌ１を受信装置３０，３１に送信する。ＲＯＡＤＭ１は、上記のＹ分岐ケーブル８４，８５と同様の構成のＹ分岐ケーブル８０，８１を介して受信装置３０，３１に接続されている。
【００１７】
Ｙ分岐ケーブル８０は、光ファイバなどにより構成された第１〜第３伝送路９１〜９３に接続され、Ｙ分岐ケーブル８１は、光ファイバなどにより構成された第４〜第６伝送路９４〜９６に接続されている。第１伝送路９１はＹ分岐ケーブル８０により第２伝送路９２及び第３伝送路９３に分岐され、第４伝送路９４はＹ分岐ケーブル８１により第５伝送路９５及び第６伝送路９６に分岐されている。
【００１８】
ＲＯＡＤＭ１は、第２伝送路９２、第３伝送路９３、第５伝送路９５、及び第６伝送路９６の各一端に接続されている。第２伝送路９２は０系の現用系の伝送路であり、第３伝送路９３は０系の予備系の伝送路である。第６伝送路９６は１系の現用系の伝送路であり、第５伝送路９５は１系の予備系の伝送路である。したがって、以下の説明では、第２伝送路９２を「０系現用伝送路」と表記し、第３伝送路９３を「０系予備伝送路」と表記する。さらに、第６伝送路９６を「１系現用伝送路」と表記し、第５伝送路９５を「１系予備伝送路」と表記する。
【００１９】
ＲＯＡＤＭ１は、制御部１０、０系の現用送信部１１、１系の現用送信部１２、予備送信部１３、及びＷＤＭ伝送処理部１４を有する。制御部１０、現用送信部１１，１２、予備送信部１３、及びＷＤＭ伝送処理部１４は、例えば、複数の電気部品及び光学部品が実装されたハードウェア基板により構成され、ＲＯＡＤＭ１の筐体に設けられたスロットに実装される。なお、制御部１０は、現用送信部１１，１２、予備送信部１３、及びＷＤＭ伝送処理部１４と、ＲＯＡＤＭ１内に設けられた配線基板と電気コネクタなどを介して接続され、配線基板を介して互いにデータを入出力する。また、ＷＤＭ伝送処理部１４は、ＲＯＡＤＭ１内に配線された光ファイバを介して現用送信部１１，１２及び予備送信部１３と接続されている。
【００２０】
ＷＤＭ伝送処理部１４は、波長多重光信号を受信し、例えば波長選択スイッチ（WSS: Wavelength Selective Switch）により波長多重光信号から所定の波長λａ，λｂの信号光Ｌ０，Ｌ１を選択して現用送信部１１，１２及び予備送信部１３に出力（ドロップ）する。なお、出力する信号光Ｌ０，Ｌ１の波長λａ，λｂは制御部１０から設定される。ＷＤＭ伝送処理部１４は、２つの信号光Ｌ０を０系の現用送信部１１及び予備送信部１３に出力し、２つの信号光Ｌ１を１系の現用送信部１２及び予備送信部１３に出力する。
【００２１】
０系の現用送信部１１は、第１出力部の一例であり、信号光Ｌ０を０系現用伝送路９２に出力する。１系の現用送信部１１は、第２出力部の一例であり、信号光Ｌ１を１系現用伝送路９６に出力する。
【００２２】
予備送信部１３、０系の現用送信部１１、及び１系の現用送信部１２は２：１の冗長系を構成する。このため、予備送信部１３は、０系の現用送信部１１及び１系の現用送信部１２の間で共用されており、０系と１系のそれぞれに別々の予備送信部１３を設ける必要がないため、ＲＯＡＤＭ１のコストが低減される。
【００２３】
予備送信部１３は、０系現用伝送路９２に障害が発生した場合、０系予備伝送路９３に信号光Ｌ０を出力し、１系現用伝送路９６に障害が発生した場合、１系予備伝送路９５に信号光Ｌ０を出力する。すなわち、予備送信部１３は、障害の発生箇所に応じて、０系予備伝送路９３に信号光Ｌ０を出力し、１系予備伝送路９５に信号光Ｌ０を出力する。このため、０系の受信装置３０は、０系現用伝送路９２に障害が発生した場合でも信号光Ｌ０を受信することができ、１系の受信装置３１は、１系現用伝送路９６に障害が発生した場合でも信号光Ｌ１を受信することができる。
【００２４】
また、予備送信部１３は、障害が発生していない場合、各伝送路９２，９３，９５，９６の障害を検出するため、信号光Ｌ０，Ｌ１と波長が相違する検査光Ｌｔ０，Ｌｔ１を０系予備伝送路９３及び１系予備伝送路９５にそれぞれ出力する。検査光Ｌｔ０，Ｌｔ１は１つの検査光から分岐された光であり、同一の波長λｔを有する。なお、予備送信部１３は第３出力部の一例である。
【００２５】
一方の検査光Ｌｔ０は、０系予備伝送路９３から第１伝送路９１に入力され、第１伝送路９１上に設けられた光学フィルタ８２により反射される。光学フィルタ８２は、波長λａの信号光Ｌ０を透過し、波長λｔの検査光Ｌｔ０を反射するように形成されている。検査光Ｌｔ０の反射光は、Ｙ分岐ケーブル８０により０系現用伝送路９２と０系予備伝送路９３に分岐され、現用送信部１１及び予備送信部１３において受信される。
【００２６】
他方の検査光Ｌｔ１は、１系予備伝送路９５から第４伝送路９４に入力され、第４伝送路９４上に設けられた光学フィルタ８３により反射される。光学フィルタ８３は、波長λｂの信号光Ｌ１を透過し、波長λｔの検査光Ｌｔ１を反射するように形成されている。検査光Ｌｔ１の反射光は、Ｙ分岐ケーブル８１により１系現用伝送路９６と１系予備伝送路９５に分岐され、現用送信部１２及び予備送信部１３において受信される。
【００２７】
制御部１０は、特定部の一例であり、０系現用伝送路９２、０系予備伝送路９３、１系現用伝送路９６、及び１系予備伝送路９５からそれぞれ入力される検査光Ｌｔ０，Ｌｔ１の反射光のパワーに基づき障害の発生箇所を特定する。また、制御部は、障害の発生箇所の特定結果に応じて、現用送信部１１，１２に信号光Ｌ０，Ｌ１の出力停止を指示し、また、予備送信部１３に信号光Ｌ０，Ｌ１の出力開始を指示する。
【００２８】
このように、ＲＯＡＤＭ１は、２：１の冗長構成を有しているため、低コスト化されているが、伝送路９１〜９６の構成が１：１の冗長構成より複雑化している。このため、以下に述べる比較例のように、障害の発生箇所の特定が困難である。
【００２９】
図２は、比較例の伝送システムにおいて障害が発生していない場合の信号光Ｌ０，Ｌ１及び検査光Ｌｔ０，Ｌｔ１の経路を示す図である。信号光Ｌ０，Ｌ１の経路は点線で示され、検査光Ｌｔ０，Ｌｔ１の経路は一点鎖線の矢印で示されている。また、点線の丸の箇所には、その箇所の検査光Ｌｔ０，Ｌｔ１のパワー（光のレベル）が示されている。なお、これは図４、図６、図８、図１０、図１２、図１７、図１９、及び図２４においても同様である。
【００３０】
０系の現用送信部１１は信号光Ｌ０を０系現用伝送路９２に出力する。信号光Ｌ０は、Ｙ分岐ケーブル８０を介して第１伝送路９１に入力され、第１伝送路９１上の光学フィルタ８２を透過して０系の受信装置３０に入力される。
【００３１】
１系の現用送信部１２は信号光Ｌ１を１系現用伝送路９６に出力する。信号光Ｌ１は、Ｙ分岐ケーブル８１を介して第４伝送路９４に入力され、第４伝送路９４上の光学フィルタ８３を透過して１系の受信装置３１に入力される。
【００３２】
予備送信部１３は、検査光Ｌｔを生成し、０系予備伝送路９３と１系予備伝送路９５に同じパワーで分岐して出力する。つまり、予備送信部１３は、分岐比が１：１の分岐手段（光スプリッタなど）により検査光Ｌｔを分岐する。
【００３３】
このため、検査光ＬｔのパワーＰｓを１００（％）とすると、分岐後の検査光Ｌｔ０，Ｌｔ１のパワーＰｓ０，Ｐｓ１は５０（％）となる。したがって、パワーＰｓ０，Ｐｓ１の比は、点線枠内に示されるように１：１である。
【００３４】
検査光Ｌｔ０は、Ｙ分岐ケーブル８０を介して第１伝送路９１に入力され、第１伝送路９１上の光学フィルタ８２において反射される。第１伝送路９１における反射光のパワーＰｓｒ０は、反射による損失はあるが、ほぼ５０（％）である。
【００３５】
検査光Ｌｔ０の反射光は、Ｙ分岐ケーブル８０により０系現用伝送路９２と０系予備伝送路９３に同じパワーでそれぞれ分岐される。検査光Ｌｔ０の反射光は、０系現用伝送路９２から現用送信部１１に入力され、また、０系予備伝送路９３から予備送信部１３に入力される。現用送信部１１及び予備送信部１３に入力される反射光のパワーＰｒ０，Ｐｒｔ０は、Ｙ分岐ケーブル８０の分岐のため、それぞれ、約２５（％）（＝５０÷２）に低下する。現用送信部１１は反射光のパワーＰｒ０を制御部１０に通知する。
【００３６】
検査光Ｌｔ１は、Ｙ分岐ケーブル８１を介して第４伝送路９４に入力され、第４伝送路９４上の光学フィルタ８３において反射される。第４伝送路９４における反射光のパワーＰｓｒ１は、反射による損失はあるが、ほぼ５０（％）である。
【００３７】
検査光Ｌｔ１の反射光は、Ｙ分岐ケーブル８１により１系現用伝送路９６と１系予備伝送路９５に同じパワーでそれぞれ分岐される。検査光Ｌｔ１の反射光は、１系現用伝送路９６から現用送信部１２に入力され、また、１系予備伝送路９５から予備送信部１３に入力される。現用送信部１２及び予備送信部１３に入力される反射光のパワーＰｒ１，Ｐｒｔ１は、Ｙ分岐ケーブル８１の分岐のため、それぞれ、約２５（％）（＝５０÷２）に低下する。現用送信部１２は反射光のパワーＰｒ１を制御部１０に通知する。
【００３８】
予備送信部１３には、０系予備伝送路９３と１系予備伝送路９５から反射光がそれぞれ入力される。予備送信部１３において、０系予備伝送路９３と１系予備伝送路９５からの各反射光は、検査光Ｌｔ０，Ｌｔ１の送信経路と同じ経路を通過するため、検査光Ｌｔ０，Ｌｔ１の分岐手段を反対方向に通過することにより合波される。反射光のパワー（Ｐｒｔ０＋Ｐｒｔ１）は合波により約５０（％）（＝２５＋２５）となる。予備送信部１３は、合波後の反射光のパワー（Ｐｒｔ０＋Ｐｒｔ１）を制御部１０に通知する。
【００３９】
図３は、比較例の伝送システムにおいて障害が発生していない場合の検査光Ｌｔ０，Ｌｔ１のパワーを示す図である。検査光ＬｔのパワーＰｓを１００（％）とすると、その分岐後の検査光Ｌｔ０，Ｌｔ１のパワーＰｓ０，Ｐｓ１は、分波によりそれぞれ５０（％）となる。
【００４０】
光学フィルタ８２，８３による反射後の検査光Ｌｔ０，Ｌｔ１のパワーＰｓｒ０，Ｐｓｒ１は、反射により減衰により５０（％）より少し減少する。Ｙ分岐ケーブル８０，８１による分岐後の検査光Ｌｔ０，Ｌｔ１のパワーＰｒ０，Ｐｒ１，Ｐｒｔ０，Ｐｒｔ１は、分波によりそれぞれ約２５（％）となる。このため、予備送信部１３内で合波された検査光Ｌｔ０，Ｌｔ１のパワー（Ｐｒｔ０＋Ｐｒｔ１）は約５０（％）（＝２５＋２５）となる。
【００４１】
制御部１０は、０系の現用送信部１１におけるパワーＰｒ０、１系の現用送信部１２におけるパワーＰｒ１、及び予備送信部１３における合波後のパワー（Ｐｒｔ０＋Ｐｒｔ１）に基づき障害の発生箇所を特定する。このため、制御部１０は、検査光Ｌｔ０，Ｌｔ１のパワーを例えば閾値ＴＨａ〜ＴＨｃと比較する。本例では、一例として閾値ＴＨａ＝１０（％）、閾値ＴＨｂ＝４０（％）、閾値ＴＨｃ＝６０（％）とする。
【００４２】
この場合、０系の現用送信部１１におけるパワーＰｒ０について、ＴＨｂ＞Ｐｒ０＞ＴＨａが成立し、１系の現用送信部１２におけるパワーＰｒ１について、ＴＨｂ＞Ｐｒ１＞ＴＨａが成立する。また、予備送信部１３における合波後のパワー（Ｐｒｔ０＋Ｐｒｔ１）については、ＴＨｃ＞Ｐｒｔ０＋Ｐｒｔ１＞ＴＨｂが成立する。したがって、制御部１０は、これらの条件が成立した場合、障害が発生していないことを判定する。
【００４３】
次に、２つの障害を例示して、障害の発生箇所が特定できない場合について述べる。
【００４４】
図４は、比較例の伝送システムにおいて障害が発生した場合の信号光Ｌ０，Ｌ１及び検査光Ｌｔ０，Ｌｔ１の経路を示す図である。図４において、図２と共通する構成には同一の符号を付し、その説明を省略する。本例において、０系予備伝送路９３と１系現用伝送路９６は、例えば光ファイバが切断されることにより障害が発生している（「断」参照）。
【００４５】
信号光Ｌ０は、Ｙ分岐ケーブル８０を介して第１伝送路９１に入力され、第１伝送路９１上の光学フィルタ８２を透過して０系の受信装置３０に入力される。信号光Ｌ１は、１系現用伝送路９６が切断されているため、受信装置３１まで到達しない。
【００４６】
検査光Ｌｔ０は、０系予備伝送路９３が切断されているため、その切断部において反射される。検査光Ｌｔ０の反射光は予備送信部１３に入力される。予備送信部１３における反射光のパワーＰｒｔ０は、反射による損失はあるが、ほぼ５０（％）である。また、検査光Ｌｔ０は現用送信部１１に入力されないため、現用送信部１１における検査光Ｌｔ０の反射光のパワーＰｒ０は０（％）である。
【００４７】
検査光Ｌｔ１は、Ｙ分岐ケーブル８１を介して第４伝送路９４に入力され、第４伝送路９４上の光学フィルタ８３において反射される。検査光Ｌｔ１の反射光は、Ｙ分岐ケーブル８１により１系現用伝送路９６と１系予備伝送路９５に同じパワーでそれぞれ分岐される。
【００４８】
検査光Ｌｔ１の反射光は、１系現用伝送路９６が切断されているため、現用送信部１２に入力されず、予備送信部１３だけに入力される。予備送信部１３における反射光のパワーＰｒｔ１は、Ｙ分岐ケーブル８１の分岐のため、約２５（％）（＝５０÷２）に低下する。また、反射光は現用送信部１２に入力されないため、現用送信部１２における検査光Ｌｔ１の反射光のパワーＰｒ１は０（％）である。
【００４９】
また、予備送信部１３における反射光のパワーは、０系予備伝送路９３及び１系予備伝送路９５からの各検査光Ｌｔ０，Ｌｔ１の反射光の合波により約７５（％）（＝５０＋２５）となる。
【００５０】
図５は、比較例の伝送システムにおいて障害が発生した場合の検査光Ｌｔ０，Ｌｔ１のパワーを示す図である。図５において、図３と共通する事項については説明を省略する。
【００５１】
検査光ＬｔのパワーＰｓを１００（％）とすると、その分岐後の検査光Ｌｔ０，Ｌｔ１のパワーＰｓ０，Ｐｓ１は、分波によりそれぞれ５０（％）となる。検査光Ｌｔ０は、０系予備伝送路９３の切断部における反射により減衰するため、予備送信部１３に入力される検査光Ｌｔ０の反射光のパワーＰｒｔ０は５０（％）より少し減少する。
【００５２】
また、予備送信部１３に入力される検査光Ｌｔ１の反射光のパワーＰｒｔ１は、図３の場合と同様に約２５（％）となる。このため、予備送信部１３内で合波された検査光Ｌｔ０，Ｌｔ１のパワー（Ｐｒｔ０＋Ｐｒｔ１）は約７５（％）（＝５０＋２５）となる。
【００５３】
また、現用送信部１１には検査光Ｌｔ０の反射光は入力されないため、現用送信部１１における検査光Ｌｔ０のパワーＰｒ０は０（％）である。さらに、現用送信部１２には検査光Ｌｔ１の反射光は入力されないため、現用送信部１２における検査光Ｌｔ１のパワーＰｒ１は０（％）である。
【００５４】
本例では、０系の現用送信部１１におけるパワーＰｒ０について、ＴＨａ＞Ｐｒ０が成立し、１系の現用送信部１２におけるパワーＰｒ１について、ＴＨａ＞Ｐｒ１が成立する。また、予備送信部１３における合波後のパワー（Ｐｒｔ０＋Ｐｒｔ１）については、Ｐｒｔ０＋Ｐｒｔ１＞ＴＨｃが成立する。したがって、制御部１０は、これらの条件が成立した場合、障害の発生箇所を０系予備伝送路９３と１系現用伝送路９６に特定する。
【００５５】
図６は、比較例の伝送システムにおいて他の障害が発生した場合の信号光Ｌ０，Ｌ１及び検査光Ｌｔ０，Ｌｔ１の経路を示す図である。図６において、図２と共通する構成には同一の符号を付し、その説明を省略する。本例において、０系現用伝送路９２と１系予備伝送路９５は、例えば光ファイバが切断されることにより障害が発生している（「断」参照）。
【００５６】
信号光Ｌ１は、Ｙ分岐ケーブル８１を介して第４伝送路９４に入力され、第４伝送路９４上の光学フィルタ８３を透過して１系の受信装置３１に入力される。信号光Ｌ０は、０系現用伝送路９２が切断されているため、受信装置３０まで到達しない。
【００５７】
検査光Ｌｔ０は、Ｙ分岐ケーブル８０を介して第１伝送路９１に入力され、第１伝送路９１上の光学フィルタ８２において反射される。検査光Ｌｔ０の反射光は、Ｙ分岐ケーブル８０により０系現用伝送路９２と０系予備伝送路９３に同じパワーでそれぞれ分岐される。
【００５８】
検査光Ｌｔ０の反射光は、０系現用伝送路９２が切断されているため、現用送信部１１に入力されず、予備送信部１３だけに入力される。予備送信部１３における反射光のパワーＰｒｔ０は、Ｙ分岐ケーブル８０の分岐のため、約２５（％）（＝５０÷２）に低下する。また、反射光は現用送信部１１に入力されないため、現用送信部１１における検査光Ｌｔ１の反射光のパワーＰｒ０は０（％）である。
【００５９】
検査光Ｌｔ１は、１系予備伝送路９５が切断されているため、その切断部において反射される。検査光Ｌｔ１の反射光は予備送信部１３に入力される。予備送信部１３における反射光のパワーＰｒｔ１は、反射による損失はあるが、ほぼ５０（％）である。また、検査光Ｌｔ１は現用送信部１２に入力されないため、現用送信部１２における検査光Ｌｔ１の反射光のパワーＰｒ１は０（％）である。
【００６０】
また、予備送信部１３における反射光のパワーは、０系予備伝送路９３及び１系予備伝送路９５からの各検査光Ｌｔ０，Ｌｔ１の反射光の合波により約７５（％）（＝５０＋２５）となる。
【００６１】
図７は、比較例の伝送システムにおいて上記の障害が発生した場合の検査光Ｌｔ０，Ｌｔ１のパワーを示す図である。図７において、図３と共通する事項については説明を省略する。
【００６２】
検査光ＬｔのパワーＰｓを１００（％）とすると、その分岐後の検査光Ｌｔ０，Ｌｔ１のパワーＰｓ０，Ｐｓ１は、分波によりそれぞれ５０（％）となる。検査光Ｌｔ１は、１系予備伝送路９５の切断部における反射により減衰するため、予備送信部１３に入力される検査光Ｌｔ１の反射光のパワーＰｒｔ１は５０（％）より少し減少する。
【００６３】
また、予備送信部１３に入力される検査光Ｌｔ０の反射光のパワーＰｒｔ０は、図３の場合と同様に約２５（％）となる。このため、予備送信部１３内で合波された検査光Ｌｔ０，Ｌｔ１のパワー（Ｐｒｔ０＋Ｐｒｔ１）は約７５（％）（＝５０＋２５）となる。
【００６４】
また、現用送信部１１には検査光Ｌｔ０の反射光は入力されないため、現用送信部１１における検査光Ｌｔ０のパワーＰｒ０は０（％）である。さらに、現用送信部１２には検査光Ｌｔ１の反射光は入力されないため、現用送信部１２における検査光Ｌｔ１のパワーＰｒ１は０（％）である。
【００６５】
本例では、０系の現用送信部１１におけるパワーＰｒ０について、ＴＨａ＞Ｐｒ０が成立し、１系の現用送信部１２におけるパワーＰｒ１について、ＴＨａ＞Ｐｒ１が成立する。また、予備送信部１３における合波後のパワー（Ｐｒｔ０＋Ｐｒｔ１）については、Ｐｒｔ０＋Ｐｒｔ１＞ＴＨｃが成立する。これらの条件は、図５を参照して述べた条件と同一であるため、制御部１０は、本条件が成立した場合、障害の発生箇所を特定することができない。
【００６６】
つまり、障害の発生箇所が０系予備伝送路９３と１系現用伝送路９６である場合（図４及び図５参照）と、障害の発生箇所が０系現用伝送路９２と１系予備伝送路９５である場合（図６及び図７参照）は、検査光Ｌｔ０，Ｌｔ１のパワーに基づき区別することができない。
【００６７】
そこで、実施例の予備送信部１３は、分岐比がＮ：Ｍ（Ｎ≠Ｍ，Ｎ≠Ｍ≠０）の分岐手段により検査光Ｌｔを分岐することで、一方の検査光Ｌｔ０のパワーＰｓ０と他方の検査光Ｌｔ１のパワーＰｓ１を相違させる。すなわち、予備送信部１３は、検査光Ｌｔを０系予備伝送路９３と１系予備伝送路９５に異なるパワーで分岐して出力する。このため、パワーＰｓ０，Ｐｓ１の間に差分が生じ、上述したような、障害の発生箇所が全く異なる２つの障害パタンを、検査光Ｌｔ０，Ｌｔ１のパワーに基づき区別することが可能となる。
【００６８】
図８は、実施例の伝送システムにおいて障害が発生した場合の信号光Ｌ０，Ｌ１及び検査光Ｌｔ０，Ｌｔ１の経路を示す図である。図８において、図２と共通する構成には同一の符号を付し、その説明を省略する。本例において、０系予備伝送路９３と１系現用伝送路９６は、例えば光ファイバが切断されることにより障害が発生している（「断」参照）。
【００６９】
信号光Ｌ０は、Ｙ分岐ケーブル８０を介して第１伝送路９１に入力され、第１伝送路９１上の光学フィルタ８２を透過して０系の受信装置３０に入力される。信号光Ｌ１は、１系現用伝送路９６が切断されているため、受信装置３１まで到達しない。
【００７０】
予備送信部１３は、検査光Ｌｔを生成し、０系予備伝送路９３と１系予備伝送路９５に異なるパワーで分岐して出力する。予備送信部１３は、一例として分岐比が７：３の分岐手段により検査光Ｌｔを分岐する。分岐手段としては、例えばビームスプリッタや分岐比可変カプラが挙げられるが、これに限定されない。
【００７１】
このため、検査光ＬｔのパワーＰｓを１００（％）とすると、一方の検査光Ｌｔ０のパワーＰｓ０は７０（％）となり、他方の検査光Ｌｔ１のパワーＰｓ０は３０（％）となる。したがって、パワーＰｓ０，Ｐｓ１の比は、点線枠内に示されるように７：３である。
【００７２】
検査光Ｌｔ０は、０系予備伝送路９３が切断されているため、その切断部において反射される。検査光Ｌｔ０の反射光は予備送信部１３に入力される。予備送信部１３における反射光のパワーＰｒｔ０は、反射による損失はあるが、ほぼ７０（％）である。また、検査光Ｌｔ０は現用送信部１１に入力されないため、現用送信部１１における検査光Ｌｔ０の反射光のパワーＰｒ０は０（％）である。
【００７３】
検査光Ｌｔ１は、Ｙ分岐ケーブル８１を介して第４伝送路９４に入力され、第４伝送路９４上の光学フィルタ８３において反射される。第４伝送路９４における反射光のパワーＰｒｔ０は、反射による損失はあるが、ほぼ３０（％）である。検査光Ｌｔ１の反射光は、Ｙ分岐ケーブル８１により１系現用伝送路９６と１系予備伝送路９５に同じパワーでそれぞれ分岐される。
【００７４】
検査光Ｌｔ１の反射光は、１系現用伝送路９６が切断されているため、現用送信部１２に入力されず、予備送信部１３だけに入力される。予備送信部１３における反射光のパワーＰｒｔ１は、Ｙ分岐ケーブル８１の分岐のため、約１５（％）（＝３０÷２）に低下する。また、反射光は現用送信部１２に入力されないため、現用送信部１２における検査光Ｌｔ１の反射光のパワーＰｒ１は０（％）である。
【００７５】
予備送信部１３には、０系予備伝送路９３と１系予備伝送路９５から反射光がそれぞれ入力される。予備送信部１３において、０系予備伝送路９３と１系予備伝送路９５からの各反射光は、検査光Ｌｔ０，Ｌｔ１の送信経路と同じ経路を通過するため、検査光Ｌｔ０，Ｌｔ１の分岐手段を反対方向に通過することにより合波される。反射光のパワー（Ｐｒｔ０＋Ｐｒｔ１）は合波により約８５（％）（＝７０＋１５）となる。
【００７６】
図９は、実施例の伝送システムにおいて障害が発生した場合の検査光Ｌｔ０，Ｌｔ１のパワーを示す図である。検査光ＬｔのパワーＰｓを１００（％）とすると、分波により、一方の検査光Ｌｔ０のパワーＰｓ０は７０（％）となり、他方の検査光Ｌｔ１のパワーＰｓ０は３０（％）となる。
【００７７】
検査光Ｌｔ０は、０系予備伝送路９３の切断部における反射により減衰するため、予備送信部１３に入力される検査光Ｌｔ０の反射光のパワーＰｒｔ０は７０（％）より少し減少する。光学フィルタ８２，８３による反射後の検査光Ｌｔ１のパワーＰｓｒ１は、反射により減衰により３０（％）より少し減少する。Ｙ分岐ケーブル８１による分岐後の検査光Ｌｔ１のパワーＰｒｔ１は分波により約１５（％）となる。このため、予備送信部１３内で合波された検査光Ｌｔ０，Ｌｔ１のパワー（Ｐｒｔ０＋Ｐｒｔ１）は約８５（％）（＝７０＋１５）となる。
【００７８】
制御部１０は、検査光Ｌｔ０，Ｌｔ１のパワーを例えば閾値ＴＨａ〜ＴＨｆと比較する。本例では、一例として閾値ＴＨａ＝１０（％）、閾値ＴＨｂ＝２０（％）、閾値ＴＨｃ＝４０（％）、閾値ＴＨｄ＝６０（％）、閾値ＴＨｅ＝８０（％）、閾値ＴＨｆ＝９０（％）とする。
【００７９】
この場合、０系の現用送信部１１におけるパワーＰｒ０について、ＴＨａ＞Ｐｒ０が成立し、１系の現用送信部１２におけるパワーＰｒ１について、ＴＨａ＞Ｐｒ１が成立する。また、予備送信部１３における合波後のパワー（Ｐｒｔ０＋Ｐｒｔ１）については、ＴＨｆ＞Ｐｒｔ０＋Ｐｒｔ１＞ＴＨｅが成立する。したがって、制御部１０は、これらの条件が成立した場合、障害の発生箇所を０系予備伝送路９３と１系現用伝送路９６に特定する。
【００８０】
図１０は、実施例の伝送システムにおいて他の障害が発生した場合の信号光Ｌ０，Ｌ１及び検査光Ｌｔ０，Ｌｔ１の経路を示す図である。図１０において、図２と共通する構成には同一の符号を付し、その説明を省略する。本例において、０系現用伝送路９２と１系予備伝送路９５は、例えば光ファイバが切断されることにより障害が発生している（「断」参照）。
【００８１】
信号光Ｌ１は、Ｙ分岐ケーブル８１を介して第４伝送路９４に入力され、第４伝送路９４上の光学フィルタ８３を透過して１系の受信装置３１に入力される。信号光Ｌ０は、０系現用伝送路９２が切断されているため、受信装置３０まで到達しない。
【００８２】
検査光Ｌｔ０は、Ｙ分岐ケーブル８０を介して第１伝送路９１に入力され、第１伝送路９１上の光学フィルタ８２において反射される。検査光Ｌｔ０の反射光は、Ｙ分岐ケーブル８０により０系現用伝送路９２と０系予備伝送路９３に同じパワーでそれぞれ分岐される。
【００８３】
検査光Ｌｔ０の反射光は、０系現用伝送路９２が切断されているため、現用送信部１１に入力されず、予備送信部１３だけに入力される。予備送信部１３における反射光のパワーＰｒｔ０は、Ｙ分岐ケーブル８０の分岐のため、約３５（％）（＝７０÷２）に低下する。また、反射光は現用送信部１１に入力されないため、現用送信部１１における検査光Ｌｔ１の反射光のパワーＰｒ０は０（％）である。
【００８４】
検査光Ｌｔ１は、１系予備伝送路９５が切断されているため、その切断部において反射される。検査光Ｌｔ１の反射光は予備送信部１３に入力される。予備送信部１３における反射光のパワーＰｒｔ１は、反射による損失はあるが、ほぼ３０（％）である。また、検査光Ｌｔ１は現用送信部１２に入力されないため、現用送信部１２における検査光Ｌｔ１の反射光のパワーＰｒ１は０（％）である。
【００８５】
また、予備送信部１３における反射光のパワーは、０系予備伝送路９３及び１系予備伝送路９５からの各検査光Ｌｔ０，Ｌｔ１の反射光の合波により約６５（％）（＝３５＋３０）となる。
【００８６】
図１１は、比較例の伝送システムにおいて上記の障害が発生した場合の検査光Ｌｔ０，Ｌｔ１のパワーを示す図である。図１１において、図９と共通する事項については説明を省略する。検査光ＬｔのパワーＰｓを１００（％）とすると、分波により、一方の検査光Ｌｔ０のパワーＰｓ０は７０（％）となり、他方の検査光Ｌｔ１のパワーＰｓ０は３０（％）となる。
【００８７】
検査光Ｌｔ１は、１系予備伝送路９５の切断部における反射により減衰するため、予備送信部１３に入力される検査光Ｌｔ１の反射光のパワーＰｒｔ１は３０（％）より少し減少する。また、予備送信部１３に入力される検査光Ｌｔ０の反射光のパワーＰｒｔ０は、Ｙ分岐ケーブル８０の分岐より約３５（％）となる。このため、予備送信部１３内で合波された検査光Ｌｔ０，Ｌｔ１のパワー（Ｐｒｔ０＋Ｐｒｔ１）は約６５（％）（＝３０＋３５）となる。
【００８８】
また、現用送信部１１には検査光Ｌｔ０の反射光は入力されないため、現用送信部１１における検査光Ｌｔ０のパワーＰｒ０は０（％）である。さらに、現用送信部１２には検査光Ｌｔ１の反射光は入力されないため、現用送信部１２における検査光Ｌｔ１のパワーＰｒ１は０（％）である。
【００８９】
本例では、０系の現用送信部１１におけるパワーＰｒ０について、ＴＨａ＞Ｐｒ０が成立し、１系の現用送信部１２におけるパワーＰｒ１について、ＴＨａ＞Ｐｒ１が成立する。また、予備送信部１３における合波後のパワー（Ｐｒｔ０＋Ｐｒｔ１）については、ＴＨｅ＞Ｐｒｔ０＋Ｐｒｔ１＞ＴＨｄが成立する。これらの条件は、図９を参照して述べた条件と比較すると、予備送信部１３における合波後のパワー（Ｐｒｔ０＋Ｐｒｔ１）の条件が相違する。
【００９０】
このため、障害の発生箇所が０系予備伝送路９３と１系現用伝送路９６である場合（図８及び図９参照）と、障害の発生箇所が０系現用伝送路９２と１系予備伝送路９５である場合（図１０及び図１１参照）は、検査光Ｌｔ０，Ｌｔ１のパワーに基づき区別することが可能である。したがって、制御部１０は、上記の条件が成立した場合、障害の発生箇所が０系現用伝送路９２と１系予備伝送路９５であることを特定することができる。
【００９１】
このように、実施例の予備送信部１３は、検査光Ｌｔ０，Ｌｔ１の分岐比を相違させるため、制御部１０は、障害の発生箇所が全く重複しない障害パタン同士を検査光Ｌｔ０，Ｌｔ１のパワーに基づき区別して特定することができる。また、制御部１０は、以下に述べるように、障害が発生していないことも判定することができる。
【００９２】
図１２は、実施例の伝送システムにおいて障害が発生していない場合の信号光Ｌ０，Ｌ１及び検査光Ｌｔ０，Ｌｔ１の経路を示す図である。図１２において、図２と共通する構成には同一の符号を付し、その説明を省略する。
【００９３】
０系の現用送信部１１は信号光Ｌ０を０系現用伝送路９２に出力する。信号光Ｌ０は、Ｙ分岐ケーブル８０を介して第１伝送路９１に入力され、第１伝送路９１上の光学フィルタ８２を透過して０系の受信装置３０に入力される。
【００９４】
１系の現用送信部１２は信号光Ｌ１を１系現用伝送路９６に出力する。信号光Ｌ１は、Ｙ分岐ケーブル８１を介して第４伝送路９４に入力され、第４伝送路９４上の光学フィルタ８３を透過して１系の受信装置３１に入力される。
【００９５】
予備送信部１３は、検査光Ｌｔを生成し、０系予備伝送路９３と１系予備伝送路９５に異なるパワーで分岐して出力する。パワーＰｓ０，Ｐｓ１の比は、点線枠内に示されるように７：３である。
【００９６】
検査光Ｌｔ０は、Ｙ分岐ケーブル８０を介して第１伝送路９１に入力され、第１伝送路９１上の光学フィルタ８２において反射される。第１伝送路９１における反射光のパワーＰｓｒ０は、反射による損失はあるが、ほぼ７０（％）である。
【００９７】
検査光Ｌｔ０の反射光は、Ｙ分岐ケーブル８０により０系現用伝送路９２と０系予備伝送路９３に同じパワーでそれぞれ分岐される。検査光Ｌｔ０の反射光は、０系現用伝送路９２から現用送信部１１に入力され、また、０系予備伝送路９３から予備送信部１３に入力される。現用送信部１１及び予備送信部１３に入力される反射光のパワーＰｒ０，Ｐｒｔ０は、Ｙ分岐ケーブル８０の分岐のため、それぞれ、約３５（％）（＝７０÷２）に低下する。現用送信部１１は反射光のパワーＰｒ０を制御部１０に通知する。
【００９８】
検査光Ｌｔ０は、Ｙ分岐ケーブル８１を介して第４伝送路９４に入力され、第４伝送路９４上の光学フィルタ８３において反射される。第４伝送路９４における反射光のパワーＰｓｒ１は、反射による損失はあるが、ほぼ３０（％）である。
【００９９】
検査光Ｌｔ１の反射光は、Ｙ分岐ケーブル８１により１系現用伝送路９６と１系予備伝送路９５に同じパワーでそれぞれ分岐される。検査光Ｌｔ１の反射光は、１系現用伝送路９６から現用送信部１２に入力され、また、１系予備伝送路９５から予備送信部１３に入力される。現用送信部１２及び予備送信部１３に入力される反射光のパワーＰｒ１，Ｐｒｔ１は、Ｙ分岐ケーブル８１の分岐のため、それぞれ、約１５（％）（＝３０÷２）に低下する。現用送信部１２は反射光のパワーＰｒ１を制御部１０に通知する。
【０１００】
予備送信部１３には、０系予備伝送路９３と１系予備伝送路９５から反射光がそれぞれ入力されて合波される。合波後の反射光のパワー（Ｐｒｔ０＋Ｐｒｔ１）は合波により約５０（％）（＝３５＋１５）となる。予備送信部１３は、合波後の反射光のパワー（Ｐｒｔ０＋Ｐｒｔ１）を制御部１０に通知する。
【０１０１】
制御部１０は、図９及び図１１を参照して述べた手法と同様の手法により、検査光Ｌｔ０，Ｌｔ１のパワーの条件の成否に基づいて障害が発生していないことを判定する。本例の場合、０系の現用送信部１１におけるパワーＰｒ０について、ＴＨｃ＞Ｐｒ０＞ＴＨｂが成立し、１系の現用送信部１２におけるパワーＰｒ１について、ＴＨｂ＞Ｐｒ１＞ＴＨａが成立する。また、予備送信部１３における合波後のパワー（Ｐｒｔ０＋Ｐｒｔ１）については、ＴＨｄ＞Ｐｒｔ０＋Ｐｒｔ１＞ＴＨｃが成立する。したがって、制御部１０は、これらの条件が成立した場合、障害が発生していないことを判定する。
【０１０２】
本実施例では、一部の障害パタンにおける検査光Ｌｔ０，Ｌｔ１のパワーについて例示したが、他の障害パタンにおける検査光Ｌｔ０，Ｌｔ１のパワーも上記の同様の手法により得ることが可能である。
【０１０３】
図１３は、障害パタンごとの反射光のパワーを示す図である。「Ｎｏ」は障害パタンの番号を示し、「障害発生箇所数」は、障害が発生した伝送路９２，９３，９５，９６の数（１〜４）を示す。なお、Ｎｏ．７の障害パタンは、図８に示したものであり、Ｎｏ．１０の障害パタンは、図１０に示したものである。また、Ｎｏ．１の障害パタンは、図１２に示したもの（障害なしの場合）である。
【０１０４】
「障害伝送路」は、障害が発生した伝送路９２，９３，９５，９６を示す。「障害伝送路」内の「２」は第２伝送路（０系現用伝送路）９２に対応し、「３」は第３伝送路（０系予備伝送路）９３に対応する。また、「６」は第６伝送路（１系現用伝送路）９６に対応し、「５」は第５伝送路（１系予備伝送路）９５に対応する。「障害伝送路」内の「２」，「３」，「５」，「６」において、「×」は障害発生を示し、「−」は障害未発生を示す。
【０１０５】
「反射光パワー」は、０系の現用送信部１１において検出されるパワーＰｒ０、１系の現用送信部１２において検出されるパワーＰｒ１、予備送信部１３において検出されるパワーＰｒ（＝Ｐｒｔ０＋Ｐｒｔ１）、及びパワーＰｒｔ０，Ｐｒｔ１を示す。「反射光パワー」は、上記の例と同様に、送信時の検査光Ｌｔ０のパワーＰｓ０を７０（％）とし、送信時の検査光Ｌｔ０のパワーＰｓ１を３０（％）とした場合の値である。
【０１０６】
例えば、Ｎｏ．２の障害パタンを参照すると、現用伝送路９２に障害が発生した場合、現用送信部１１におけるパワーＰｒ０は０（％）であり、現用送信部１２におけるパワーＰｒ１は１５（％）である。また、予備送信部１３におけるパワーＰｒｔは５０（％）である。
【０１０７】
制御部１０は、障害パタンごとの障害の発生箇所を示す障害特定テーブルを参照することにより障害の発生箇所を特定する。障害特定テーブルは、図１３に示された障害パタンごとの現用送信部１１，１２及び予備送信部１３におけるパワーＰｒ０，Ｐｒ１，Ｐｒｔに基づいて予め生成され、制御部１０に保持される。
【０１０８】
また、制御部１０は、障害の発生箇所に応じた０系及び１系の現用系／予備系の切り替え動作を示す切り替え動作テーブルを参照することにより障害時の現用系／予備系を切り替える。
【０１０９】
図１４は、障害特定テーブル１０４及び切り替え動作テーブル１０５の一例を示す図である。図１４において、図１３と共通する項目についての説明は省略する。
【０１１０】
障害特定テーブル１０４には「反射光パワーの範囲」情報及び「障害箇所」情報が含まれる。「反射光パワーの範囲」情報は、図９及び図１１を参照して述べたような、現用送信部１１，１２及び予備送信部１３におけるパワーＰｒ０，Ｐｒ１，Ｐｒｔを閾値ＴＨａ〜ＴＨｆと比較した場合の各パワーＰｒ０，Ｐｒ１，Ｐｒｔの属する範囲を示す。「障害箇所」情報は、各パワーＰｒ０，Ｐｒ１，Ｐｒｔの属する範囲から特定される障害の発生箇所を示す。
【０１１１】
制御部１０は、「障害箇所」情報が「なし」の場合、障害が発生していないと判定する。また、制御部１０は、「障害箇所」情報が「現用（０系）」の場合、０系現用伝送路９２に障害が発生したと判定し、「障害箇所」情報が「現用（１系）」の場合、１系現用伝送路９６に障害が発生したと判定する。さらに、制御部１０は、「障害箇所」情報が「予備（０系）」の場合、０系予備伝送路９３に障害が発生したと判定し、「障害箇所」情報が「予備（１系）」の場合、１系予備伝送路９５に障害が発生したと判定する。なお、複数の障害の発生箇所が存在する場合、「障害箇所」情報は、「現用（０系）」、「現用（１系）」、「予備（０系）」、及び「予備（１系）」のうち、複数を示す（例えば障害パタンＮｏ．７〜１０，１２〜１６参照）。
【０１１２】
また、切り替え動作テーブル１０５には０系及び１系の「現用／予備選択」情報が含まれる。「現用／予備選択」情報は、０系及び１系について信号光Ｌ０，Ｌ１の出力元の送信部１１〜１３を示す。制御部１０は、０系の「現用／予備選択」情報が「現用」を示す場合、０系の現用送信部１１を信号光Ｌ０の出力元として選択し、０系の「現用／予備選択」情報が「予備」を示す場合、予備送信部１３を信号光Ｌ０の出力元として選択する。
【０１１３】
また、制御部１０は、１系の「現用／予備選択」情報が「現用」を示す場合、１系の現用送信部１２を信号光Ｌ１の出力元として選択し、１系の「現用／予備選択」情報が「予備」を示す場合、予備送信部１３を信号光Ｌ１の出力元として選択する。なお、予備送信部１３は、０系と１系の間で共用されるため、同時に０系及び１系の信号光Ｌ０，Ｌ１の出力元として選択されることはない。
【０１１４】
障害特定テーブル１０４には、障害の発生箇所の一部が共通する複数の障害パタンについて共通の「反射光パワーの範囲」情報が登録されている。例えば、障害パタンＮｏ．３及びＮｏ．６は、「障害伝送路」として０系予備伝送路９３が共通し、その「反射光パワーの範囲」情報が共通する。このため、障害パタンＮｏ．３及びＮｏ．６の「障害箇所」情報としては、０系予備伝送路９３を示す「予備（０系）」が登録されている。
【０１１５】
また、障害パタンＮｏ．７及びＮｏ．１４は、「障害伝送路」として０系現用伝送路９２及び１系予備伝送路９５が共通し、その「反射光パワーの範囲」情報が共通する。このため、障害パタンＮｏ．７及びＮｏ．１４の「障害箇所」情報としては、０系現用伝送路９２を示す「現用（０系）」と、１系予備伝送路９５を示す「予備（１系）」とが登録されている。
【０１１６】
また、障害パタンＮｏ．９、Ｎｏ．１２、Ｎｏ．１５、及びＮｏ．１６は、「障害伝送路」として０系予備伝送路９３及び１系予備伝送路９５が共通し、その「反射光パワーの範囲」情報が共通する。このため、障害パタンＮｏ．９、Ｎｏ．１２、Ｎｏ．１５、及びＮｏ．１６の「障害箇所」情報としては、０系予備伝送路９３を示す「予備（０系）」と、１系予備伝送路９５を示す「予備（１系）」とが登録されている。なお、障害の発生箇所の一部が共通する他の複数の障害パタンについても同様に、共通の「障害伝送路」に該当する「障害箇所」情報が登録されている。
【０１１７】
このように、障害特定テーブル１０４には、「反射光パワーの範囲」情報が共通する複数の障害パタンについて、その共通の「障害伝送路」に該当する「障害箇所」情報が登録されている。したがって、制御部１０は、その障害パタンの間で共通の障害の発生箇所を特定することができる。
【０１１８】
また、「現用／予備選択」情報は障害特定テーブル１０４内の「障害箇所」情報に対応して登録されている。このため、制御部１０は障害の発生箇所に応じた切り替え動作が可能である。
【０１１９】
障害パタンＮｏ．１を参照すると、制御部１０は、「障害箇所」がなしの場合、０系の信号光Ｌ０の出力元として現用送信部１１を選択するとともに、１系の信号光Ｌ１の出力元として現用送信部１２を選択する。このため、制御部１０は、障害が発生していない場合、切り替え動作を行わない。また、障害パタンＮｏ．３、Ｎｏ．４、Ｎｏ．６、Ｎｏ．１１、Ｎｏ．１２、Ｎｏ．１５，及びＮｏ．１６を参照すると理解されるように、制御部１０は、障害の発生箇所が、伝送路９２，９３，９５，９６のうち、予備伝送路９３，９５のみで場合も切り替え動作を行わない。
【０１２０】
また、障害パタンＮｏ．２、Ｎｏ．７、Ｎｏ．８、及びＮｏ．１４のように、０系現用伝送路９２に障害が発生し、０系予備伝送路９３に障害が発生していない場合、制御部１０は、０系の信号光Ｌ０の出力元として予備送信部１３を選択する。なお、障害パタンＮｏ．８のように、障害の発生箇所が０系現用伝送路９２及び１系現用伝送路９６である場合、制御部１０は、１系より優先して０系の切り替え動作を行うが、１系の切り替え動作が０系より優先されてもよい。
【０１２１】
また、障害パタンＮｏ．５、Ｎｏ．１０、及びＮｏ．１３のように、１系現用伝送路９６に障害が発生し、１系予備伝送路９５に障害が発生していない場合、制御部１０は、１系の信号光Ｌ１の出力元として予備送信部１３を選択する。
【０１２２】
このように、障害特定テーブル１０４には、０系現用伝送路９２から入力される反射光のパワーＰｒ０、０系予備伝送路９３及び１系予備伝送路９５から入力される反射光のパワーＰｒｔ、及び１系現用伝送路９６から入力される反射光のパワーＰｒ１の組み合わせに対応する障害の発生箇所が登録されている。制御部１０は、障害特定テーブル１０４を参照することにより障害の発生箇所を特定する。このため、制御部１０は、各パワーＰｒ０，Ｐｒ１，Ｐｒｔに基づき障害特定テーブル１０４を検索することにより簡単に障害の発生箇所を特定することができる。
【０１２３】
次に現用送信部１１，１２及び予備送信部１３の構成を説明する。
【０１２４】
図１５は、制御部１０及び予備送信部１３の一例を示す構成図である。制御部１０は、例えばＣＰＵ（Central Processing Unit）などのプロセッサ及びプロセッサに接続されたメモリなどから構成される。
【０１２５】
制御部１０は、障害検出部１００、切り替え部１０１、メモリ１０２、及び通信インターフェース部（通信ＩＮＦ）１０３を有する。メモリ１０２は障害特定テーブル１０４及び切り替え動作テーブル１０５を保持する。障害特定テーブル１０４及び切り替え動作テーブル１０５は、通信サービスの提供前に、例えばネットワーク管理システムから通信ＩＮＦ１０３を介してメモリ１０２に書き込まれる。
【０１２６】
通信ＩＮＦ１０３は、例えばＬＡＮ（Local Area Network）による通信機能を備え、ハードウェア、またはハードウェア及びソフトウェアの機能として構成される。通信ＩＮＦ１０３は、障害検出部１００及び切り替え部１０１と、予備送信部１３または現用送信部１１，１２との間の通信を処理し、また、障害検出部１００及び切り替え部１０１とネットワーク管理システムとの間の通信を処理する。
【０１２７】
障害検出部１００及び切り替え部１０１は、例えばソフトウェアの機能として構成される。障害検出部１００は、通信ＩＮＦ１０３を介し、予備送信部１３及び現用送信部１１，１２の各々から検査光Ｌｔ０，Ｌｔ１のパワーＰｒｔ，Ｐｒ０，Ｐｒ１の情報を受信する。障害検出部１００は、上述したように、メモリ１０２内の障害特定テーブル１０４を参照することにより、検査光Ｌｔ０，Ｌｔ１のパワーＰｒｔ，Ｐｒ０，Ｐｒ１に基づき障害の発生箇所を特定する。すなわち、障害検出部１００は障害を検出する。障害検出部１００は、特定した障害の発生箇所を「障害箇所」情報として切り替え部１０１に通知する。
【０１２８】
切り替え部１０１は、切り替え動作テーブル１０５を参照することにより、「障害箇所」情報に基づき切り替え動作を実行する。切り替え部１０１は、「現用／予備選択」情報に従い、予備送信部１３に信号光Ｌ０，Ｌ１の出力を指示し、現用送信部１１，１２に信号光Ｌ０，Ｌ１の出力停止を指示する。
【０１２９】
より具体的には、切り替え部１０１は、０系の「現用／予備選択」情報が「予備」を示す場合、予備送信部１３に信号光Ｌ０の出力を指示し、現用送信部１１に信号光Ｌ０の出力停止を指示する。また、切り替え部１０１は、１系の「現用／予備選択」情報が「予備」を示す場合、予備送信部１３に信号光Ｌ１の出力を指示し、現用送信部１２に信号光Ｌ１の出力停止を指示する。
【０１３０】
このため、予備送信部１３は、障害の発生箇所に応じて、信号光Ｌ１を０系現用伝送路９２に出力し、または信号光Ｌ１を１系予備伝送路に出力することができる。これにより、ＲＯＡＤＭ１は、障害が発生した場合でも信号光Ｌ０，Ｌ１の伝送を継続することができる。
【０１３１】
予備送信部１３は、監視制御部１３０、送信器１３１、導波部１３２、光合分波部１３３、反射光検出部１３４、及びハードウェアインターフェース部（ＨＷ−ＩＮＦ）１３５を有する。監視制御部１３０は、例えばＣＰＵなどのプロセッサ及びプロセッサに接続されたメモリなどから構成される。ＨＷ−ＩＮＦ１３５は、例えば、各種の情報をレジスタとして記憶するメモリである。
【０１３２】
監視制御部１３０は反射光のパワーＰｒｔの情報をＨＷ−ＩＮＦ１３５から読み出して制御部１０に送信する。これにより、反射光のパワーＰｒｔが制御部１０に通知される。
【０１３３】
また、監視制御部１３０は、切り替え部１０１から信号光Ｌ０，Ｌ１の出力の指示を指示情報としてＨＷ−ＩＮＦ１３５に書き込む。送信器１３１は、ＨＷ−ＩＮＦ１３５から信号光Ｌ０，Ｌ１の指示情報を読み出して、指示情報に応じた信号光Ｌ０，Ｌ１を出力する。なお、図１５には、送信器１３１が検査光Ｌｔ０を出力している場合が示されている。
【０１３４】
送信器１３１は、例えば、信号光Ｌ０，Ｌ１を受信するためのフォトダイオード、検査光Ｌｔ０を出力するための波長可変のレーザダイオード、信号光Ｌ０，Ｌ１及び検査光Ｌｔ０の出力を切り替える光スイッチなどのハードウェアから構成される。送信器１３１は、例えば周期的にＨＷ−ＩＮＦ１３５にアクセスして信号光Ｌ０，Ｌ１の指示情報の有無を確認する。
【０１３５】
送信器１３１は、指示情報がない場合、検査光Ｌｔ０を導波部１３２に出力する。この場合、送信器１３１は、信号光Ｌ０，Ｌ１を受信しているが出力しない（点線の矢印参照）。また、送信器１３１は、信号光Ｌ０の出力の指示情報があった場合、信号光Ｌ０を導波部１３２に出力し、信号光Ｌ１の出力の指示情報があった場合、信号光Ｌ１を導波部１３２に出力する。
【０１３６】
導波部１３２は、例えばＷＤＭカプラなどにより構成され、送信器１３１から入力された光を光合分波部１３３に導く。このため、送信器１３１から出力された信号光Ｌ０，Ｌ１及び検査光Ｌｔ０は導波部１３２を通り光合分波部１３３に入力される。
【０１３７】
また、導波部１３２は、光合分波部１３３から入力された検査光Ｌｔ０，Ｌｔ１の合波された反射光Ｌｔ’を反射光検出部１３４に導く。反射光検出部１３４は、例えばフォトダイオードなどを有し、反射光Ｌｔ’のパワーＰｒｔを検出する。反射光検出部１３４は、パワーＰｒｔの情報をＨＷ−ＩＮＦ１３５に書き込む。
【０１３８】
光合分波部１３３は、ビームスプリッタや分岐比可変カプラなどの分岐手段であり、送信器１３１から出力された光を０系予備伝送路９３と１系予備伝送路９５に異なるパワーで分岐して出力する。光合分波部１３３は、上述したように、検査光Ｌｔを例えば７：３の分岐比で０系予備伝送路９３と１系予備伝送路９５に分岐する。この場合、０系予備伝送路９３に出力される検査光Ｌｔ０のパワーＰｓ０は７０（％）となり、１系予備伝送路９５に出力される検査光Ｌｔ１のパワーＰｓ１は３０（％）となる。
【０１３９】
このように、光合分波部１３３は、０系予備伝送路９３に出力される検査光Ｌｔ０と１系予備伝送路９５に出力される検査光Ｌｔ１のパワーＰｓ１を異ならせる。したがって、制御部１０は、図８〜図１１を参照して述べたように、障害の発生箇所が全く異なる障害パタンを区別して特定することができる。なお、光合分波部１３３は、送信器１３１から出力された信号光Ｌ０，Ｌ１を０系予備伝送路９３と１系予備伝送路９５に異なるパワーで分岐して出力するが、後述するように０系予備伝送路９３及び１系予備伝送路９５の一方だけに出力してもよい。
【０１４０】
また、光合分波部１３３には、０系予備伝送路９３から検査光Ｌｔ０の反射光Ｌｔ０’が入力され、１系予備伝送路９５から検査光Ｌｔ１の反射光Ｌｔ１’が入力される。光合分波部１３３は、２つの反射光Ｌｔ０’，Ｌｔ１’を合波して導波部１３２に出力する。合波された２つの反射光Ｌｔ０’，Ｌｔ１’は、反射光Ｌｔ’として反射光検出部１３４に入力される。
【０１４１】
このように、検査光Ｌｔ０，Ｌｔ１とその反射光Ｌｔ０’，Ｌｔ１’は、導波部１３２の後段において共通の経路を通る。このため、予備送信部１３は、反射光Ｌｔ０’，Ｌｔ１’のパワーＰｒｔ０，Ｐｒｔ１を個別に検出することができない。
【０１４２】
図１６は、現用送信部１１，１２の一例を示す構成図である。現用送信部１１，１２は、送信対象の信号光Ｌ０，Ｌ１の波長λａ，λｂが異なるが、同一の構成を有する。
【０１４３】
０系の現用送信部１１は、監視制御部１１０、送信器１１１、導波部１１２、反射光検出部１３４、及びハードウェアインターフェース部（ＨＷ−ＩＮＦ）１１５を有する。また、１系の現用送信部１２は、監視制御部１２０、送信器１２１、導波部１２２、反射光検出部１２４、及びハードウェアインターフェース部（ＨＷ−ＩＮＦ）１２５を有する。
【０１４４】
監視制御部１１０，１２０は、例えばＣＰＵなどのプロセッサ及びプロセッサに接続されたメモリなどから構成される。ＨＷ−ＩＮＦ１１５，１２５は、例えば、各種の情報をレジスタとして記憶するメモリである。
【０１４５】
監視制御部１１０，１２０は、制御部１０と通信ＩＮＦ１０３を介して通信する。監視制御部１１０は反射光のパワーＰｒ０の情報をＨＷ−ＩＮＦ１１５から読み出して制御部１０に送信し、監視制御部１２０は反射光のパワーＰｒ１の情報をＨＷ−ＩＮＦ１２５から読み出して制御部１０に送信する。これにより、反射光のパワーＰｒ０，Ｐｒ１が制御部１０に通知される。
【０１４６】
０系の現用送信部１１において、監視制御部１１０は、切り替え部１０１から信号光Ｌ０の出力停止の指示を指示情報としてＨＷ−ＩＮＦ１１５に書き込む。送信器１１１は、ＨＷ−ＩＮＦ１１５から信号光Ｌ０の出力指示情報を読み出して、指示情報に応じて信号光Ｌ０の出力を停止する。なお、図１６には、送信器１１１が信号光Ｌ０を出力している場合が示されている。
【０１４７】
送信器１１１は、例えば、信号光Ｌ０を受信するためのフォトダイオード、信号光Ｌ０を出力するためのレーザダイオードなどのハードウェアから構成される。送信器１１１は、例えば周期的にＨＷ−ＩＮＦ１１５にアクセスして信号光Ｌ０の停止の指示情報の有無を確認する。送信器１１１は、信号光Ｌ０の停止の指示情報がない場合、信号光Ｌ０を導波部１１２に出力するが、信号光Ｌ０の停止の指示情報があった場合、信号光Ｌ０の出力を停止する。
【０１４８】
導波部１１２は、例えばＷＤＭカプラなどにより構成され、送信器１１１から入力された信号光Ｌ０を０系現用伝送路９２に導く。また、導波部１１２は、０系現用伝送路９２から入力された検査光Ｌｔ０の反射光Ｌｔｎ０’を反射光検出部１１４に導く。
【０１４９】
反射光検出部１１４は、例えばフォトダイオードなどを有し、反射光Ｌｔｎ０’のパワーＰｒ０を検出する。反射光検出部１３４は、パワーＰｒ０の情報をＨＷ−ＩＮＦ１１５に書き込む。
【０１５０】
また、１系の現用送信部１２において、監視制御部１２０は、切り替え部１０１から信号光Ｌ１の出力停止の指示を指示情報としてＨＷ−ＩＮＦ１２５に書き込む。送信器１２１は、ＨＷ−ＩＮＦ１２５から信号光Ｌ１の出力指示情報を読み出して、指示情報に応じて信号光Ｌ１の出力を停止する。なお、図１６には、送信器１２１が信号光Ｌ１を出力している場合が示されている。
【０１５１】
送信器１２１は、例えば、信号光Ｌ１を受信するためのフォトダイオード、信号光Ｌ１を出力するためのレーザダイオードなどのハードウェアから構成される。送信器１２１は、例えば周期的にＨＷ−ＩＮＦ１２５にアクセスして信号光Ｌ１の停止の指示情報の有無を確認する。送信器１２１は、信号光Ｌ１の停止の指示情報がない場合、信号光Ｌ１を導波部１１２に出力するが、信号光Ｌ１の停止の指示情報があった場合、信号光Ｌ１の出力を停止する。
【０１５２】
導波部１２２は、例えばＷＤＭカプラなどにより構成され、送信器１２１から入力された信号光Ｌ１を１系現用伝送路９６に導く。また、導波部１２２は、１系現用伝送路９６から入力された検査光Ｌｔ１の反射光Ｌｔｎ１’を反射光検出部１２４に導く。
【０１５３】
反射光検出部１２４は、例えばフォトダイオードなどを有し、反射光Ｌｔｎ１’のパワーＰｒ１を検出する。反射光検出部１２４は、パワーＰｒ１の情報をＨＷ−ＩＮＦ１２５に書き込む。
【０１５４】
次に、予備送信部１３が信号光Ｌ０，Ｌ１を出力する動作について説明する。以下の例では、０系現用伝送路９２に障害が発生することにより、予備送信部１３が、制御部１０からの信号光Ｌ０の出力の指示に従い信号光Ｌ０を出力する場合を挙げるが、予備送信部１３が信号光Ｌ１を出力する場合もこれと同様に行われる。
【０１５５】
図１７は、切り替え動作後の予備送信部１３の動作の一例を示す図である。図１７において、図１５と共通する構成には同一の符号を付し、その説明を省略する。
【０１５６】
送信器１３１は、監視制御部１３０からＨＷ−ＩＮＦ１３５を介し信号光Ｌ１の出力の指示情報を受信する。送信器１３１は、指示情報に従い、検査光Ｌｔの出力を停止し、ＷＤＭ伝送処理部１４から受信した信号光Ｌ０，Ｌ１のうち、信号光Ｌ１を出力する。この場合、送信器１３１は、信号光Ｌ０を受信しているが出力しない（点線の矢印参照）。
【０１５７】
導波部１３２は、送信器１３１から入力された信号光Ｌ１を光合分波部１３３に導く。光合分波部１３３は、信号光Ｌ１を、検査光Ｌｔと同じ分岐比（例えば７：３）で０系予備伝送路９３と１系予備伝送路９５に分岐して出力する。この場合、信号光Ｌ１は、１系予備伝送路９５だけでなく、０系予備伝送路９３にも出力されるため、信号光Ｌ１が０系の受信装置３０に入力されないように、光学フィルタ８２により信号光Ｌ１を反射してもよい。
【０１５８】
図１８は、切り替え動作後の信号光Ｌ０，Ｌ１の一例を示す図である。図１８において、図８と共通する構成には同一の符号を付し、その説明を省略する。本例において、１系現用伝送路９６は、例えば光ファイバが切断されることにより障害が発生している（「断」参照）。
【０１５９】
このため、制御部１０は、予備送信部１３に信号光Ｌ１の出力を指示し、１系の現用送信部１２に信号光Ｌ１の出力の停止を指示する。これにより、予備送信部１３は、０系予備伝送路９３と１系予備伝送路９５に信号光Ｌ１を出力し、現用送信部１２は信号光Ｌ１の出力を停止する。０系予備伝送路９３と１系予備伝送路９５に対する信号光Ｌ１のパワーの分岐比は、例えば７：３であるが、これに限定されず、１：１としてもよい。
【０１６０】
信号光Ｌ１は、１系予備伝送路９５から第４伝送路９４に入力され、第４伝送路９４上の光学フィルタ８３を透過して１系の受信装置３１に入力される。これにより、信号光Ｌ１の伝送を障害の発生後も継続することが可能となる。
【０１６１】
また、信号光Ｌ１は、０系予備伝送路９３から第１伝送路９１に入力され、第１伝送路９１上の光学フィルタ８２に入力される。ここで、光学フィルタ８２は、波長λｂ，λｔの光を反射するように形成されている。このため、波長λｂの信号光Ｌ１は光学フィルタ８２において反射される。信号光Ｌ１の反射光は、Ｙ分岐ケーブル８０により０系現用伝送路９２と０系予備伝送路９３に分岐されて現用送信部１１と予備送信部１３に入力されるが、信号光Ｌ１の波長λｂは他方の信号光Ｌ０の波長λａと異なるため、信号光Ｌ０の伝送に影響はない。
【０１６２】
このように、光学フィルタ８２は、信号光Ｌ０を透過し、信号光Ｌ１を反射する。このため、受信装置３０には信号光Ｌ１が入力されず、受信装置３１において波長λａの信号光Ｌ０をフィルタリングする必要が省かれる。
【０１６３】
なお、０系現用伝送路９２に障害が発生した場合、制御部１０は、予備送信部１３に信号光Ｌ０の出力を指示し、０系の現用送信部１１に信号光Ｌ０の出力の停止を指示する。これにより、予備送信部１３は、０系予備伝送路９３と１系予備伝送路９５に信号光Ｌ０を出力し、現用送信部１１は信号光Ｌ０の出力を停止する。
【０１６４】
光学フィルタ８２は、波長λａ，λｔの光を反射するように形成されている。このため、波長λａの信号光Ｌ０は光学フィルタ８２において反射される。このため、受信装置３１には信号光Ｌ０が入力されず、受信装置３０において波長λａの信号光Ｌ０をフィルタリングする必要が省かれる。
【０１６５】
本例において、光合分波部１３３は、信号光Ｌ０，Ｌ１を０系予備伝送路９３と１系予備伝送路９５に分岐するが、これに限定されず、０系予備伝送路９３と１系予備伝送路９５の一方だけに出力してもよい。
【０１６６】
図１９は、切り替え動作後の予備送信部１３の動作の他例を示す図である。図１９において、図１９と共通する構成には同一の符号を付し、その説明を省略する。本例において、予備送信部１３は、分岐比可変スプリッタのように、波長に応じて分岐比が変化する光合分波部１３３ａを有する。
【０１６７】
送信器１３１は、図１７の例と同様に、指示情報に従い、検査光Ｌｔの出力を停止し、ＷＤＭ伝送処理部１４から受信した信号光Ｌ０，Ｌ１のうち、信号光Ｌ１を出力する。信号光Ｌ１は導波部１３２を介し光合分波部１３３ａに入力される。
【０１６８】
光合分波部１３３ａは、波長λｂの光を０系予備伝送路９３と１系予備伝送路に１０：０の分岐比で分岐する。このため、光合分波部１３３ａは、信号光Ｌ１を０系予備伝送路９３には出力せず、１系予備伝送路９５だけに出力する。
【０１６９】
図２０は、本例の切り替え動作後の信号光Ｌ０，Ｌ１を示す図である。図２０において、図８と共通する構成には同一の符号を付し、その説明を省略する。本例において、１系現用伝送路９６は、例えば光ファイバが切断されることにより障害が発生している（「断」参照）。
【０１７０】
予備送信部１３から出力された信号光Ｌ１は、１系予備伝送路９５から第４伝送路９４に入力され、第４伝送路９４上の光学フィルタ８３を透過して１系の受信装置３１に入力される。また、現用送信部１１から出力された信号光Ｌ０は、０系現用伝送路９２から第１伝送路９１に入力され、第１伝送路９１上の光学フィルタ８２を透過して０系の受信装置３０に入力される。
【０１７１】
本例において、信号光Ｌ１は、図１８の例とは異なり、０系予備伝送路９３には出力されない。このため、光学フィルタ８２により波長λｂの信号光Ｌ１をフィルタリングする必要が省かれる。
【０１７２】
また、光合分波部１３３ａは、波長λａの光を０系予備伝送路９３と１系予備伝送路に０：１０の分岐比で分岐する。このため、光合分波部１３３ａは、送信器１３１から信号光Ｌ０が入力された場合、信号光Ｌ０を１系予備伝送路９５には出力せず、０系予備伝送路９３だけに出力する。このため、光学フィルタ８３により波長λａの信号光Ｌ０をフィルタリングする必要が省かれる。なお、光合分波部１３３ａは、検査光Ｌｔを、光合分波部１３３と同様に、０系予備伝送路９３と１系予備伝送路にＭ：Ｎの分岐比で分岐する。
【０１７３】
次に予備送信部１３の動作を説明する。
【０１７４】
図２１は、予備送信部１３の監視制御部１３０の動作の一例を示すフローチャートである。監視制御部１３０は検査光Ｌｔを出力制御する（ステップＳｔ１）。このとき、監視制御部１３０は、ＨＷ−ＩＮＦ１３０に検査光Ｌｔの指示情報を書き込む。これにより、送信器１３１は検査光Ｌｔを出力する。
【０１７５】
次に、予備送信部１３は０系予備伝送路９３と１系予備伝送路９５から検査光Ｌｔの反射光Ｌｔ０’，Ｌｔ１’を受信する（ステップＳｔ２）。このとき、各反射光Ｌｔ０’，Ｌｔ１’は光合分波部１３３，１３３ａにより１つの反射光Ｌｔ’に合波され、導波部１３２を通り反射光検出部１３４に入力される。
【０１７６】
次に、反射光検出部１３４は反射光Ｌｔ’のパワーＰｒｔを検出する（ステップＳｔ３）。このとき、反射光検出部１３４は、パワーＰｒｔの情報をＨＷ−ＩＮＦ１３５に書き込む。次に、監視制御部１３０は、ＨＷ−ＩＮＦ１３５からパワーＰｒｔの情報を読み出して制御部１０に通知する（ステップＳｔ４）。
【０１７７】
次に、監視制御部１３０は、制御部１０から信号光Ｌ０の出力の指示の有無を判定する（ステップＳｔ５）。監視制御部１３０は、信号光Ｌ０の出力の指示がある場合（ステップＳｔ５のＹｅｓ）、検査光Ｌｔを停止制御し（ステップＳｔ６）、信号光Ｌ０を出力制御する（ステップＳｔ７）。このとき、監視制御部１３０は、ＨＷ−ＩＮＦ１３５から検査光Ｌｔの指示情報を削除し、ＨＷ−ＩＮＦ１３５に信号光Ｌ０の指示情報を書き込む。これにより送信器１３１は、検査光Ｌｔの出力を停止し、信号光Ｌ０を出力する。
【０１７８】
また、監視制御部１３０は、信号光Ｌ０の出力の指示がない場合（ステップＳｔ５のＮｏ）、制御部１０から信号光Ｌ１の出力の指示の有無を判定する（ステップＳｔ８）。監視制御部１３０は、信号光Ｌ１の出力の指示がある場合（ステップＳｔ８のＹｅｓ）、検査光Ｌｔを停止制御し（ステップＳｔ９）、信号光Ｌ１を出力制御する（ステップＳｔ１０）。このとき、監視制御部１３０は、ＨＷ−ＩＮＦ１３５から検査光Ｌｔの指示情報を削除し、ＨＷ−ＩＮＦ１３５に信号光Ｌ１の指示情報を書き込む。これにより送信器１３１は、検査光Ｌｔの出力を停止し、信号光Ｌ１を出力する。
【０１７９】
また、監視制御部１３０は、信号光Ｌ１の出力の指示がない場合（ステップＳｔ８のＮｏ）、処理を終了する。このようにして、予備送信部１３は動作する。
【０１８０】
図２２は現用送信部１１，１２の監視制御部１１０，１２０の動作の一例を示すフローチャートである。監視制御部１１０，１２０は信号光Ｌ０，Ｌ１を出力制御する（ステップＳｔ１１）。このとき、監視制御部１１０，１２０は、ＨＷ−ＩＮＦ１３０に信号光Ｌ０，Ｌ１の指示情報を書き込む。これにより、送信器１１１，１２１は信号光Ｌ０，Ｌ１を出力する。
【０１８１】
次に、現用送信部１１，１２は検査光Ｌｔ０，Ｌｔ１の反射光Ｌｔｎ０’，Ｌｔｎ１’を受信する（ステップＳｔ１２）。このとき、反射光Ｌｔｎ０’，Ｌｔｎ１’は導波部１１２，１２２を通り反射光検出部１１４，１２４に入力される。
【０１８２】
次に、反射光検出部１１４，１２４は反射光Ｌｔｎ０’，Ｌｔｎ１’のパワーＰｒ０，Ｐｒ１を検出する（ステップＳｔ１３）。このとき、反射光検出部１１４，１２４は、パワーＰｒ０，Ｐｒ１の情報をＨＷ−ＩＮＦ１１５，１２５に書き込む。次に、監視制御部１１０，１２０は、ＨＷ−ＩＮＦ１１５，１２５からパワーＰｒ０，Ｐｒ１の情報を読み出して制御部１０に通知する（ステップＳｔ１４）。
【０１８３】
次に、監視制御部１１０，１２０は、制御部１０から信号光Ｌ０，Ｌ１の停止の指示の有無を判定する（ステップＳｔ１５）。監視制御部１１０，１２０は、信号光Ｌ０，Ｌ１の停止の指示がある場合（ステップＳｔ１５のＹｅｓ）、信号光Ｌ０，Ｌ１を停止制御する（ステップＳｔ１６）。このとき、監視制御部１１０，１２０は、ＨＷ−ＩＮＦ１１５，１２５から信号光Ｌ０，Ｌ１の指示情報を削除する。これにより送信器１１１，１２１は信号光Ｌ０，Ｌ１の出力を停止する。
【０１８４】
また、監視制御部１１０，１２０は、信号光Ｌ０，Ｌ１の停止の指示がない場合（ステップＳｔ１５のＮｏ）、処理を終了する。このようにして、現用送信部１１，１２は動作する。
【０１８５】
図２３は、制御部１０の動作の一例を示すフローチャートである。障害検出部１００は、予備送信部１３から通信ＩＮＦ１０３を介し反射光Ｌｔ’のパワーＰｒｔの情報を取得する（ステップＳｔ２１）。
【０１８６】
次に、障害検出部１００は、０系の現用送信部１１から通信ＩＮＦ１０３を介し反射光Ｌｔｎ０’のパワーＰｒ０の情報を取得する（ステップＳｔ２２）。次に、障害検出部１００は、１系の現用送信部１２から通信ＩＮＦ１０３を介し反射光Ｌｔｎ１’のパワーＰｒ１の情報を取得する（ステップＳｔ２３）。なお、ステップＳｔ２１〜２３の各処理の順序に限定はない。
【０１８７】
次に、障害検出部１００は、パワーＰｒｔ，Ｐｒ０，Ｐｒ１に基づき障害特定テーブル１０４を参照する（ステップＳｔ２４）。次に、障害検出部１００は、障害特定テーブル１０４からパワーＰｒｔ，Ｐｒ０，Ｐｒ１（「反射光パワー」）に対応する障害の発生箇所（「障害箇所」）を特定する（ステップＳｔ２５）。
【０１８８】
次に、切り替え部１０１は切り替え動作テーブル１０５を参照する（ステップＳｔ２６）。次に、切り替え部１０１は切り替え動作テーブル１０５に基づき障害の発生箇所に応じた切り替え動作（「現用／予備選択」）を決定する（ステップＳｔ２７）。
【０１８９】
切り替え部１０１は、０系の信号光Ｌ０の出力元を予備送信部１３とする（「０系予備」）ことに決定した場合（ステップＳｔ２８のＹｅｓ）、０系の現用送信部１１に信号光Ｌ０の停止を指示する（ステップＳｔ２９）。次に、切り替え部１０１は予備送信部１３に信号光Ｌ０の出力を指示する（ステップＳｔ３０）。また、０系の信号光Ｌ０の出力元を予備送信部１３とすることが決定されていない場合（ステップＳｔ２８のＮｏ）、以下の処理が行われる。
【０１９０】
切り替え部１０１は、１系の信号光Ｌ１の出力元を予備送信部１３とする（「１系予備」）ことに決定した場合（ステップＳｔ３１のＹｅｓ）、１系の現用送信部１２に信号光Ｌ１の停止を指示する（ステップＳｔ３２）。次に、切り替え部１０１は予備送信部１３に信号光Ｌ１の出力を指示する（ステップＳｔ３３）。また、１系の信号光Ｌ１の出力元を予備送信部１３とすることが決定されていない場合（ステップＳｔ３１のＮｏ）、処理は終了する。このようにして、制御部１０は動作する。
【０１９１】
これまで述べた実施例では、予備送信部１３が検査光Ｌｔを異なるパワーで分岐することにより、０系と反射光と１系の反射光のパワーを異ならせたが、これに限定されない。例えば、以下の実施例のように、Ｙ分岐ケーブル８０，８１の分岐比を適切に設定することにより０系と反射光と１系の反射光のパワーを異ならせてもよい。
【０１９２】
図２４は、他の実施例の伝送システムを示す図である。図２４において、図２と共通する構成には同一の符号を付し、その説明を省略する。なお、図２４は障害が発生していない場合を示す。
【０１９３】
第１伝送路９１には、上記のＹ分岐ケーブル８０に代えてＹ分岐ケーブル８０ａが設けられている。第１伝送路９１に入力された検査光Ｌｔ０は、光学フィルタ８２によりＹ分岐ケーブル８０ａを介して０系現用伝送路９２及び０系予備伝送路９３に異なるパワーでそれぞれ反射される。Ｙ分岐ケーブル８０ａは、光学フィルタ８２からの反射光を０系現用伝送路９２と０系予備伝送路９３に異なるパワーで分岐する。なお、信号光Ｌ０は光学フィルタ８２を透過する。
【０１９４】
Ｙ分岐ケーブル８０ａには、分岐比がＭａ：Ｎａ（Ｍａ≠Ｎａ）に設定された光スプリッタ（例えば分岐比可変スプリッタ）が含まれている。本例では、Ｙ分岐ケーブル８０ａの分岐比を一例として７：３とする。このため、現用送信部１１に入力される反射光のパワーＰｒ０と予備送信部１３に入力される反射光のパワーＰｒｔ０の比は７：３となる（点線枠参照）。このため、現用送信部１１における反射光のパワーＰｒ０（≒３５（％））と予備送信部１３における反射光のパワーＰｒｔ０（≒１５（％））は相違する。
【０１９５】
また、第４伝送路９４には、上記のＹ分岐ケーブル８１に代えてＹ分岐ケーブル８１ａが設けられている。第４伝送路９４に入力された検査光Ｌｔ１は、光学フィルタ８３によりＹ分岐ケーブル８１ａを介して１系現用伝送路９６及び１系予備伝送路９５に異なるパワーでそれぞれ反射される。Ｙ分岐ケーブル８１ａは、光学フィルタ８３からの反射光を１系予備伝送路９５と１系現用伝送路９６に異なるパワーで分岐する。なお、信号光Ｌ１は光学フィルタ８３を透過する。
【０１９６】
Ｙ分岐ケーブル８１ａには、分岐比がＭｂ：Ｎｂ（Ｍｂ≠Ｎｂ）に設定された光スプリッタ（例えば分岐比可変スプリッタ）が含まれている。本例では、Ｙ分岐ケーブル８１ａの分岐比を一例として７：３とする。このため、予備送信部１３に入力される反射光のパワーＰｒｔ１と現用送信部１２に入力される反射光のパワーＰｒ１との比は７：３となる（点線枠参照）。このため、予備送信部１３における反射光のパワーＰｒｔ１（≒３５（％））と現用送信部１１における反射光のパワーＰｒ１（≒１５（％））とは相違する。
【０１９７】
このため、０系現用伝送路９２に対する０系予備伝送路９３の反射光のパワーの比（Ｐｒ０：Ｐｒｔ１＝７：３）は、１系現用伝送路９６に対する１系予備伝送路９５の反射光のパワーの比（Ｐｒ０：Ｐｒｔ１＝３：７）と異なる。したがって、予備送信部１３における反射光のパワーＰｒｔ０及び反射光のパワーＰｒｔ１は相違する。
【０１９８】
このため、本例においても、障害の発生箇所の一部が重複する子複数の障害パタンを反射光のパワーに基づき区別して特定することが可能である。
【０１９９】
図２５は、障害パタンごとの反射光のパワーを示す図である。図２５において、図１３と共通する事項の説明は省略する。また、図２５には、障害特定テーブル１０４の「障害箇所」情報と切り替え動作テーブル１０５の「現用／予備選択」情報が示されている。
【０２００】
本例においても、制御部１０は、反射光のパワーＰｒｔ，Ｐｒ０，Ｐｒ１を閾値ＴＨａ〜ＴＨｆと比較することにより障害特定テーブル１０４には基づき障害の発生箇所を特定することができる。また、制御部１０は、障害の発生箇所に応じて切り替え動作テーブル１０５を参照することにより切り替え動作を行う。
【０２０１】
上述した実施形態は本発明の好適な実施の例である。但し、これに限定されるものではなく、本発明の要旨を逸脱しない範囲内において種々変形実施可能である。
【０２０２】
なお、以上の説明に関して更に以下の付記を開示する。
（付記１）  第１伝送路から分岐した第２伝送路及び第３伝送路と、第４伝送路から分岐した第５伝送路及び第６伝送路とに接続される伝送装置において、
第１信号光を前記第２伝送路に出力する第１出力部と、
第２信号光を前記第６伝送路に出力する第２出力部と、
前記第１信号光及び前記第２信号光と波長が相違する検査光を前記第３伝送路及び第５伝送路に異なるパワーで分岐して出力する第３出力部と、
前記第２伝送路、前記第３伝送路、前記第５伝送路、及び前記第６伝送路からそれぞれ入力される前記検査光の反射光のパワーに基づき障害の発生箇所を特定する特定部とを有することを特徴とする伝送装置。
（付記２）  前記特定部は、
前記第２伝送路から入力される前記反射光のパワー、前記第３伝送路及び前記第５伝送路から入力される前記反射光のパワー、及び前記第６伝送路から入力される前記反射光のパワーの組み合わせに対応する前記障害の発生箇所が登録されたテーブルを保持し、
前記テーブルを参照することにより前記障害の発生箇所を特定することを特徴とする付記１に記載の伝送装置。
（付記３）  前記第３出力部は、前記障害の発生箇所に応じて、前記第１信号光を前記第３伝送路に出力し、または前記第２信号光を前記第５伝送路に出力することを特徴とする付記１または２に記載の伝送装置。
（付記４）  第１伝送路から分岐した第２伝送路及び第３伝送路と、第４伝送路から分岐した第５伝送路及び第６伝送路との障害を検出する障害検出方法において、
第１信号光を前記第２伝送路に出力し、
第２信号光を前記第６伝送路に出力し、
前記第１信号光及び前記第２信号光と波長が相違する検査光を前記第３伝送路及び第５伝送路に異なるパワーで分岐して出力し、
前記第２伝送路、前記第３伝送路、前記第５伝送路、及び前記第６伝送路からそれぞれ入力される前記検査光の反射光のパワーに基づき障害の発生箇所を特定することを特徴とする障害検出方法。
（付記５）  前記第２伝送路から入力される前記反射光のパワー、前記第３伝送路及び前記第５伝送路から入力される前記反射光のパワー、及び前記第６伝送路から入力される前記反射光のパワーの組み合わせに対応する前記障害の発生箇所が登録されたテーブルを保持し、
前記テーブルを参照することにより前記障害の発生箇所を特定することを特徴とする付記４に記載の障害検出方法。
（付記６）  前記障害の発生箇所に応じて、前記第１信号光を前記第３伝送路に出力し、または前記第２信号光を前記第５伝送路に出力することを特徴とする付記４または５に記載の障害検出方法。
（付記７）  第１伝送路から分岐した第２伝送路及び第３伝送路と、第４伝送路から分岐した第５伝送路及び第６伝送路との障害を検出する障害検出方法において、
第１信号光を前記第２伝送路に出力し、
第２信号光を前記第６伝送路に出力し、
前記第１信号光及び前記第２信号光と波長が相違する検査光を前記第３伝送路及び第５伝送路に分岐して出力し、
前記第１伝送路に入力された前記第１信号光を透過し、
前記第１伝送路に入力された前記検査光を前記第２伝送路及び前記第３伝送路に異なるパワーでそれぞれ反射し、
前記第４伝送路に入力された前記第２信号光を透過し、
前記第４伝送路に入力された前記検査光を前記第５伝送路及び前記第６伝送路に異なるパワーでそれぞれ反射し、
前記第２伝送路、前記第３伝送路、前記第５伝送路、及び前記第６伝送路からそれぞれ入力される前記検査光の反射光のパワーに基づき障害の発生箇所を特定し、
前記第２伝送路に対する前記第３伝送路の前記反射光のパワーの比を、前記第６伝送路に対する前記第５伝送路の前記反射光のパワーの比と異ならせることを特徴とする障害検出方法。
（付記８）  前記第２伝送路から入力される前記反射光のパワー、前記第３伝送路及び前記第５伝送路から入力される前記反射光のパワー、及び前記第６伝送路から入力される前記反射光のパワーの組み合わせに対応する前記障害の発生箇所が登録されたテーブルを保持し、
前記テーブルを参照することにより前記障害の発生箇所を特定することを特徴とする付記７に記載の障害検出方法。
（付記９）  前記障害の発生箇所に応じて、前記第１信号光を前記第３伝送路に出力し、または前記第２信号光を前記第５伝送路に出力することを特徴とする付記７または８に記載の障害検出方法。
【符号の説明】
【０２０３】
１                                       ＲＯＡＤＭ
１０                                     制御部
１１                                     現用送信部（０系）
１２                                     現用送信部（１系）
１３                                     予備送信部
８０，８１，８４，８５                   Ｙ分岐ケーブル
８２，８３                              光学フィルタ
９１〜９６                               第１〜第６伝送路
１００                                   障害検出部
１０１                                   切り替え部
１０４                                   障害特定テーブル
１０５                                   切り替え動作テーブル
１１０，１２０，１３０                   監視制御部
１１１，１２１，１３１                   送信器
１１４，１２４，１３４                   反射光検出部
１３３，１３３ａ                         光合分波部
Ｌｔ，Ｌｔ０，Ｌｔ１                            検査光
Ｌ０，Ｌ１                               信号光
【図１】
2018074300.tif 000003
【図２】
2018074300.tif 000004
【図３】
2018074300.tif 000005
【図４】
2018074300.tif 000006
【図５】
2018074300.tif 000007
【図６】
2018074300.tif 000008
【図７】
2018074300.tif 000009
【図８】
2018074300.tif 000010
【図９】
2018074300.tif 000011
【図１０】
2018074300.tif 000012
【図１１】
2018074300.tif 000013
【図１２】
2018074300.tif 000014
【図１３】
2018074300.tif 000015
【図１４】
2018074300.tif 000016
【図１５】
2018074300.tif 000017
【図１６】
2018074300.tif 000018
【図１７】
2018074300.tif 000019
【図１８】
2018074300.tif 000020
【図１９】
2018074300.tif 000021
【図２０】
2018074300.tif 000022
【図２１】
2018074300.tif 000023
【図２２】
2018074300.tif 000024
【図２３】
2018074300.tif 000025
【図２４】
2018074300.tif 000026
【図２５】
2018074300.tif 000027